(57)【要約】【課題】ユーザに対する情報提供の機会を逸してしまうこと。【解決手段】Ｉ／Ｏ１１には、アンテナ２１に接続されたチューナ２２と、パーキングブレーキの状態に対応するブレーキデータ（「状態データ」に相当する）を出力するＰブレーキセンサ２３と、移動体の速度に対応する速度データ（「状態データ」に相当する）を出力する速度センサ２４と、操作に対応する操作データを出力する操作スイッチ２５と、音声を出力するスピーカ２６と、画像を出力するディスプレイ２７とが接続されている。ＲＯＭ１３には、動画がディスプレイ２７に表示されない場合、一のチャンネルおよび他のチャンネルのうち少なくとも一方に係る静止画データに対応する静止画をディスプレイ２７に表示させる制御部としてＣＰＵ１４を機能させるためのプログラムが格納されている。【選択図】図１
2006352410.tif 000002
【特許請求の範囲】
【請求項１】
一のチャンネルに係る動画データに対応する動画をディスプレイに表示させるか否かを移動体の状態に対応するデータに応じて制御するデジタル放送装置であって、
前記動画がディスプレイに表示されない場合、一のチャンネルおよび他のチャンネルのうち少なくとも一方に係る静止画データに対応する静止画をディスプレイに表示させる制御部を備えるデジタル放送装置。
【請求項２】
前記制御部は、一のチャンネルに係る静止画データが存在しない場合、他のチャンネルに係る静止画データに対応する静止画をディスプレイに表示させることを特徴とする請求項１に記載のデジタル放送装置。
【請求項３】
前記制御部は、ディスプレイに対して前記動画が表示されていた表示領域で前記静止画を表示させることを特徴とする請求項１に記載のデジタル放送装置。
【請求項４】
前記制御部は、前記静止画として番組表をディスプレイに表示させることを特徴とする請求項１ないし請求項３の何れかに記載のデジタル放送装置。
【請求項５】
前記制御部は、前記静止画として文字画像をディスプレイに表示させることを特徴とする請求項１ないし請求項３の何れかに記載のデジタル放送装置。
【請求項６】
前記制御部は、前記静止画として操作画像をディスプレイに表示させることを特徴とする請求項１ないし請求項３の何れかに記載のデジタル放送装置。
【発明の詳細な説明】
【技術分野】
【０００１】
本発明は、デジタル放送データに対応する画像をディスプレイに表示させるデジタル放送装置に関するものであって、より詳しくは、デジタル放送対応の車載テレビやデジタル放送対応の携帯電話などに関するものである。
【背景技術】
【０００２】
背景技術として、ＭＯＴオブジェクトが静止画像やテキストなどの簡易ファイル形式ではない場合、車速がゼロまたは低速であれば、ＭＯＴオブジェクトを再生し、他方、車速がゼロまたは低速でなければ、ＭＯＴオブジェクトを再生しない放送受信装置が知られている（特許文献１を参照）。
【特許文献１】特開２００４−１８０２２７号公報（第５頁−第６頁、第３図）
【発明の開示】
【発明が解決しようとする課題】
【０００３】
特許文献１に記載のものにおいては、ＭＯＴオブジェクトが静止画像やテキストなどの簡易ファイル形式ではない場合、すなわち、ＭＯＴオブジェクトが動画である場合、車速がゼロまたは低速でなければ、ＭＯＴオブジェクトは再生されない。つまり、車速がゼロまたは低速ではない場合、音声は出力されているが音声に同期する動画は表示されないので、完結した情報を提供できないという課題があった。ここで、完結した情報を提供するとは、ＭＯＴオブジェクトが動画を含むものであれば、動画を含む情報の提供である。他方、ＭＯＴオブジェクトが動画を含まないものであれば、常に、完結した情報が提供されたことになる。
【課題を解決するための手段】
【０００４】
本発明に係るデジタル放送装置は、一のチャンネルに係る動画データに対応する動画をディスプレイに表示させるか否かを移動体の状態に対応するデータに応じて制御するデジタル放送装置であって、前記動画がディスプレイに表示されない場合、一のチャンネルおよび他のチャンネルのうち少なくとも一方に係る静止画データに対応する静止画をディスプレイに表示させる制御部を備えるものである。本発明における字句の解釈は、次のとおりである。
【０００５】
「デジタル放送」とは、放送データをデジタル波で搬送する放送であって、衛星波デジタル放送および地上波デジタル放送を含む概念である。
【０００６】
「一のチャンネルに係る」とは、任意のチャンネルで放送または受信されたという意味である。「他のチャンネルに係る」とは、一のチャンネル以外のチャンネルで放送または受信されたという意味である。
【０００７】
「動画データ」とは、いわゆる放送番組を構成する動画データおよび放送番組以外の付加的内容を構成する動画データのうち少なくとも一方を含む概念である。
【０００８】
「ディスプレイ」とは、広く画像を表示するためのものであって、画像を被投射面に投射するいわゆるプロジェクタを含む概念である。
【０００９】
「移動体の状態」として、停止や移動などがある。また、「移動」として、より詳しくは、高速移動や低速移動などがある。「移動体の状態」が何れの状態であるかは、各種センサからのデータ値としきい値との比較などによって決定される。
【００１０】
「移動体の状態に対応するデータ」として、速度センサで出力されたデータ、加速度センサで出力されたデータ、振動センサで出力されたデータ、歩数カウンタで出力されたデータ、パーキングブレーキの状態を検知するセンサで出力されたデータなどがある。
【００１１】
「静止画」としては、番組表、風景画像、文字画像や操作画像などがある。「番組表」とは、ＥＰＧデータに対応する画像である。「風景画像」とは、特定の風景を撮影することで得られる画像であって、一例として定点カメラで周期的に撮影される画像がある。「文字画像」とは、文字からなる画像であって、一例として、文字ニュースや渋滞情報などがある。「操作画像」とは、いわゆるアイコンであって、画像が選択されることで操作データを出力するものである。
【００１２】
「一のチャンネルおよび他のチャンネルのうち少なくとも一方に係る静止画データに対応する静止画をディスプレイに表示させる」処理として、好ましくは、一のチャンネルに係る静止画データが存在しない場合、他のチャンネルに係る静止画データに対応する静止画をディスプレイに表示させる処理がある。
【００１３】
本発明に係るデジタル放送装置において、「制御部」は、好ましくは、ディスプレイに対して前記動画が表示されていた表示領域で前記静止画を表示させるものである。本発明における字句の解釈は、前述の字句の解釈と同一である。
【発明の効果】
【００１４】
本発明は、一のチャンネルに係る動画データに対応する動画がディスプレイに表示されない場合、一のチャンネルおよび他のチャンネルのうち少なくとも一方に係る静止画データに対応する静止画をディスプレイに表示させることによって、ユーザに対する情報提供の機会を逸しないという効果を有する。
【発明を実施するための最良の形態】
【００１５】
以下、本発明を実施するための最良の形態について、図１ないし図６を参照しながら説明する。
＜装置の構成について＞図１を参照しながら本実施の形態に係るデジタル放送装置１の構成を説明する。デジタル放送装置１は、データの入出力を行うＩ／Ｏ１１と、各種データを記憶するＨＤＤ１２と、各種プログラムを格納するＲＯＭ１３（「制御部」に相当する）と、各種プログラムに対応する処理を実行するＣＰＵ１４（「制御部」に相当する）と、各種データを保持するＲＡＭ１５と、音声データを処理する音声ＬＳＩ１６と、動画データおよび静止画データを処理する画像ＬＳＩ１７と、動画データおよび静止画データを保持するＶＲＡＭ１８と、デジタル放送データを復調する復調ＬＳＩ１９とを備え、これらはバスで接続されている。
【００１６】
Ｉ／Ｏ１１には、アンテナ２１に接続されたチューナ２２と、パーキングブレーキの状態に対応するブレーキデータ（「状態データ」に相当する）を出力するＰブレーキセンサ２３と、移動体の速度に対応する速度データ（「状態データ」に相当する）を出力する速度センサ２４と、操作に対応する操作データを出力する操作スイッチ２５と、音声を出力するスピーカ２６と、画像を出力するディスプレイ２７とが接続されている。
【００１７】
ＲＯＭ１３には、動画がディスプレイ２７に表示されない場合、一のチャンネルおよび他のチャンネルのうち少なくとも一方に係る静止画データに対応する静止画をディスプレイ２７に表示させる制御部としてＣＰＵ１４を機能させるためのプログラムが格納されている。
＜デジタル放送データの構成について＞図２を参照しながら本実施の形態に係るデジタル放送データの構成を説明する。デジタル放送データは、ＩＳＤＢ−Ｔ伝送方式において、１３の帯域（以下、セグメントという）に分割されている。各セグメントはテレビ、ラジオや静止画などに割り当てられている。以下の説明では、テレビに割り当てられたセグメント、ラジオに割り当てられたセグメントおよび静止画に割り当てられたセグメントは、それぞれテレビセグメント、ラジオセグメントおよび静止画セグメントと定義される。また、テレビデータにおけるデータおよび静止画セグメントにおけるデータは、それぞれ「動画データ」および「静止画データ」に相当する。
＜処理について＞以上のように構成されたデジタル放送装置１について、図３ないし図６を参照しながらその処理を説明する。図３に示すように、ＣＰＵ１４は、ＲＯＭ１３に格納されたプログラムを解釈し、以下の処理を実行する。
【００１８】
ＣＰＵ１４は、チャンネル選択データ、セグメント選択データおよびセグメントテーブル（図４を参照）を用いて復調ＬＳＩ１９がテレビセグメントを選択しているか否かを判定する（ステップＳ１）。ここで、チャンネル選択データは、チューナ２２が選択しているチャンネルを示すデータであって、チューナ２２で周期的に出力され、ＲＡＭ１５に保持されている。セグメント選択データは、復調ＬＳＩ１９が選択しているセグメントを示すデータであって、復調ＬＳＩ１９で周期的に出力され、ＲＡＭ１５に保持されている。また、セグメントテーブルは、セグメントの用途とセグメントの番号との関係をチャンネルごとに定義するデータであって、ＨＤＤ１２に記憶されている。
【００１９】
ステップＳ１で復調ＬＳＩ１９がテレビセグメントを選択しているとの判定がなされると（Ｓ１のＹｅｓ）、ＣＰＵ１４は、チャンネル選択データおよびセグメント選択データをＲＡＭ１５に保持する（ステップＳ２）。
【００２０】
ステップＳ２でチャンネル選択データおよびセグメント選択データが保持されると、ＣＰＵ１４は、速度データまたはブレーキデータを用いて移動体が移動中であるか否かを判定する（ステップＳ３）。具体的には、速度データが用いられる場合、速度データの値が所定値より大きい値であれば、「移動」との判定がなされ、速度データの値が所定値以下であれば、「停止」との判定がなされる。本実施の形態では、所定値は「１０ｋｍ／ｈ」である。他方、ブレーキデータがパーキングブレーキのオンおよびオフにそれぞれ応じて「１」および「０」である場合、ブレーキデータが「０」であれば、「移動」との判定がなされ、ブレーキデータが「１」であれば、「停止」との判定がなされる。
【００２１】
ステップＳ３で移動体が移動中であるとの判定がなされると（Ｓ３のＹｅｓ）、ＣＰＵ１４は、チャンネル選択データおよびセグメントテーブル（図４を参照）を用いて現在のチャンネルに係るデジタル放送データに静止画セグメントがあるか否かを判定する（ステップＳ４）。
【００２２】
ステップＳ４で静止画セグメントがあるとの判定がなされると（Ｓ４のＹｅｓ）、ＣＰＵ１４は、セグメントテーブルを用いて復調ＬＳＩ１９に対して静止画セグメントを選択させるための制御データを出力する（ステップＳ５）。このとき、復調ＬＳＩ１９は、ＣＰＵ１４からの制御データを受けて、高速フーリエ変換におけるセグメントを静止画セグメントに設定する。
【００２３】
他方、ステップＳ４で静止画セグメントがないとの判定がなされると（Ｓ４のＮｏ）、ＣＰＵ１４は、チューナ２２に対して他のチャンネルを選択させるための制御データを出力する（ステップＳ６）。このとき、チューナ２２は、ＣＰＵ１４からの制御データを受けて、他のチャンネルを選択する。
【００２４】
ステップＳ３にて移動中でないととの判定がなされると（Ｓ３のＮｏ）、ＣＰＵ１４は、復調ＬＳＩ１９に対してＲＡＭ１５に保持されていたチャンネルおよびセグメントを選択させるための制御データを出力する（ステップＳ７）
＜表示例について＞画像ＬＳＩ１７は、ＣＰＵ１４からの制御データを受けて、次のような画像をディスプレイ２７に表示させる。図５に示すように、移動体が停止している場合、チャンネルが１ｃｈであれば、１ｃｈに係るテレビセグメントが選択される。このとき、ディスプレイ２７は、その動画表示領域でテレビセグメントに含まれる動画データに対応する動画を表示する（図５（ａ）を参照）。
【００２５】
その後、移動体が走行すると、１ｃｈに係る静止画セグメントが存在すれば、ディスプレイ２７は、その動画表示領域で静止画セグメントに含まれる静止画データに対応する静止画を表示する（図５（ｂ）における「１ｃｈお天気カメラ」を参照）。
【００２６】
１ｃｈに係る静止画セグメントが存在しない場合、他のチャンネル（例えば、４ｃｈ）が選択される。このとき、他のチャンネルに係る静止画セグメントが存在すれば、ディスプレイ２７は、その動画表示領域で静止画セグメントに含まれる静止画データに対応する静止画を表示する（図５（ｃ）における「４ｃｈ気象情報」を参照）。
【００２７】
さらにその後、移動体が停止すると、ディスプレイ２７は、前回の停止中における動画セグメントに対応する動画を表示する（図５（ｄ）を参照）。
【００２８】
図６に示すように、移動体が停止している場合、チャンネルが３ｃｈであれば、３ｃｈに係るテレビセグメントが選択される。このとき、３ｃｈに係るテレビセグメントは１３のセグメントで構成され、いわゆるハイビジョン放送が行われる。そして、ディスプレイ２７は、その動画表示領域でテレビセグメントに含まれる動画データに対応する動画を表示する（図６（ａ）を参照）。
【００２９】
その後、移動体が走行すると、３ｃｈに係る静止画セグメントは存在しないので、他のチャンネル（例えば、１ｃｈ）が選択される。このとき、他のチャンネルに係る静止画セグメントが存在すれば、ディスプレイ２７は、その動画表示領域で静止画セグメントに含まれる静止画データに対応する静止画を表示する（図６（ｂ）における「１ｃｈお天気カメラ」を参照）。
【００３０】
さらにその後、移動体が停止すると、ディスプレイ２７は、前回の停止中における動画セグメントに対応する動画を表示する（図６（ｃ）を参照）。
＜本実施の形態における効果＞以上本実施の形態によれば、３ｃｈに係るデジタル放送データが静止画セグメントを含まない場合であっても、移動体が移動していれば、１ｃｈに係る静止画セグメントが選択され、「１ｃｈお天気カメラ」の静止画が表示されるので、ユーザに対して現在の天気などを知らせることができる。
＜変形例＞以上の説明では、「状態データ」は速度データおよびブレーキデータであるが、「状態データ」は他のデータであってもよい。
【００３１】
以上の説明では、静止画が「１ｃｈお天気カメラ」または「４ｃｈ気象情報」であるが、「静止画」は、番組表、操作画像や文字画像などであってもよい。
【産業上の利用可能性】
【００３２】
以上のように、本発明は、ユーザに対する情報提供の機会を逸しないという効果を有し、デジタル放送対応の車載テレビやデジタル放送対応の携帯電話などとして有用である。
【図面の簡単な説明】
【００３３】
【図１】本発明を実施するための最良の形態であるデジタル放送装置の構成を示すハードウエア構成図
【図２】本実施の形態におけるデジタル放送データの構成を示すデータ構成図
【図３】本実施の形態における処理の流れを示すフロー図
【図４】本実施の形態におけるチャンネルごとのセグメント構成を示すテーブル図
【図５】（ａ）１ｃｈのテレビセグメントが選択されている場合における表示例を示す図（ｂ）１ｃｈの静止画セグメントが選択されている場合における表示例を示す図（ｃ）４ｃｈの静止画セグメントが選択されている場合における表示例を示す図（ｄ）走行後停止時に１ｃｈのテレビセグメントが再選択される場合における表示例を示す図
【図６】（ａ）３ｃｈのテレビセグメントが選択されている場合における表示例を示す図（ｂ）１ｃｈの静止画セグメントが選択されている場合における表示例を示す図（ｃ）走行後停止時に３ｃｈのテレビセグメントが再選択される場合における表示例を示す図
【符号の説明】
【００３４】
１    デジタル放送装置
１３    ＲＯＭ（制御部）
１４    ＣＰＵ（制御部）
２７    ディスプレイ
【図１】
2006352410.tif 000003
【図２】
2006352410.tif 000004
【図３】
2006352410.tif 000005
【図４】
2006352410.tif 000006
【図５】
2006352410.tif 000007
【図６】
2006352410.tif 000008